(57)【特許請求の範囲】
【請求項１】
回動式アンテナと通信用コネクタを備えた携帯型情報処理装置において、
前記回動式アンテナは、その一端を収納位置と使用位置との間で回動可能にするための支点となる支持部により、前記通信用コネクタが設けられている近傍に配置され、前記収納位置に回動された状態のときに前記通信用コネクタの露出面を覆うカバーとしての機能を有していることを特徴とする回動式アンテナによる通信用コネクタ保護方式。
【請求項２】
前記回動式アンテナは、前記携帯型情報処理装置の前記通信用コネクタが設けられた面に前記支持部により取り付けられていることを特徴とする請求項１に記載の回動式アンテナによる通信用コネクタ保護方式。
【請求項３】
前記回動式アンテナは、該アンテナが使用されておらず前記収納位置に回動されている状態のときに前記通信用コネクタの露出面を覆う位置に配置されており、かつ前記アンテナの形状は前記通信用コネクタの露出面を覆うことが可能な形状に構成されていることを特徴とする請求項１または２に記載の回動式アンテナによる通信用コネクタ保護方式。
【請求項４】
前記回動式アンテナは、その一端が互いに直交する２つの回動軸を支点として回動可能に支持する支持部によって前記携帯型情報処理装置に支持されることにより２つの異なる収納位置に収納可能に構成され、前記２つの収納位置の内、一方の収納位置内に前記通信用コネクタの露出面が配置されていることを特徴とする請求項１に記載の回動式アンテナによる通信用コネクタ保護方式。
【請求項５】
前記回動式アンテナの一端を支持する支持部は、前記携帯型情報処理装置の前記通信用コネクタの露出面が配置された面に隣接する側面に配置され、該側面と直交する第１の回動軸を有する第１の支持部と、該第１の支持部によって支持されかつ前記第１の回動軸と直交する第２の回動軸を有する第２の支持部からなっていることを特徴とする請求項４に記載の回動式アンテナによる通信用コネクタ保護方式。
【請求項６】
前記回動式アンテナに、前記通信用コネクタ部と嵌合する嵌合部を一体に設けたことを特徴とする請求項１〜５のいずれかに記載の回動式アンテナによる通信用コネクタ保護方式。
【請求項７】
ワイヤレスデータ通信を行うための回動式アンテナと通信用ケーブルを接続してデータ通信を行うための通信用コネクタと、携帯型情報処理装置の外部拡張スロットに挿入されて該スロット内のカードコネクタと接続されるインタフェースコネクタとを有するカード型デバイスにおいて、
前記回動式アンテナは、その一端を収納位置と使用位置との間で回動可能にするための支点となる支持部により、前記通信用コネクタが設けられている近傍に配置され、前記収納位置に回動された状態のときに前記通信用コネクタの露出面を覆うカバーとしての機能を有していることを特徴とするカード型デバイス。
【請求項８】
前記回動式アンテナは、前記カード型デバイスの前記通信用コネクタが設けられた面に前記支持部により取り付けられていることを特徴とする請求項７に記載のカード型デバイス。
【請求項９】
前記回動式アンテナは、該アンテナが使用されておらず収納位置に回動されている状態のときに前記通信用コネクタの露出面を覆う位置に配置されており、かつ前記アンテナの形状は前記通信用コネクタの露出面を覆うことが可能な形状に構成されていることを特徴とする請求項７または８に記載のカード型デバイス。
【請求項１０】
前記回動式アンテナは、その一端が互いに直交する２つの回動軸を支点として回動可能に支持する支持部によって前記カード型デバイスに支持されることにより２つの異なる収納位置に収納可能に構成され、前記２つの収納位置の内、一方の収納位置内に前記通信用コネクタの露出面が配置されていることを特徴とする請求項７に記載のカード型デバイス。
【請求項１１】
前記回動式アンテナの一端を支持する支持部は、前記カード型デバイスの前記通信用コネクタの露出面が配置された面に隣接する側面に配置され、該側面と直交する第１の回動軸を有する第１の支持部と、該第１の支持部によって支持されかつ前記第１の回動軸と直交する第２の回動軸を有する第２の支持部からなっていることを特徴とする請求項１０に記載のカード型デバイス。
【請求項１２】
前記回動式アンテナに、前記通信用コネクタ部と嵌合する嵌合部を一体に設けたことを特徴とする請求項７〜１１のいずれかに記載のカード型デバイス。
【発明の詳細な説明】
【０００１】
【発明の属する技術分野】
本発明は、ノートパソコン等の電子機器が備える外部拡張スロットに挿入して、内蔵の無線部を使ってワイヤレスデータ通信を行うか、または外部の携帯電話またはＰＨＳとケーブルでつないでデータ通信を行うことが可能なカード型デバイス（ＰＣカード等）に関する。
【０００２】
【従来の技術】
携帯型無線電話機をコンピュータ等の携帯型電子機器に接続してデータ通信を行うため、あるいは直接ワイヤレスデータ通信を行うために、携帯型電子機器の外部拡張スロットに挿入され、該スロット内のカードコネクタと接続して使用されるＰＣカード等のカード型デバイスが開発されている。
【０００３】
この種のカード型デバイスは、直接ワイヤレスデータ通信を行う際に用いられるアンテナと、携帯型無線電話機等と接続するためのデータ通信用コネクタとを備えており、内蔵の無線部とアンテナを使ってワイヤレスデータ通信を行う機能と、外部の携帯電話またはＰＨＳとデータ通信用コネクタによりケーブルでつないでデータ通信を行う機能とを備えている。
【０００４】
図４〜図５は、従来のカード型デバイスの外観を示す斜視図であり、カード型デバイス１は、携帯型パソコン等の情報処理装置の外部拡張スロットに挿入されるスロット挿入部２と、外部拡張スロット内のカードコネクタと接続されるインタフェースコネクタ３と、外部の携帯電話またはＰＨＳと接続するための通信用ケーブルと接続するための通信用コネクタ４と、直接ワイヤレスデータ通信を行うためのアンテナ５と、アンテナ５をその収納位置と使用位置との間で回動可能に支持する支持部６とを備えている。
【０００５】
このカード型デバイス１を携帯型情報処理装置の外部拡張スロットに挿入しておき、携帯型情報処理装置によりワイヤレスデータ通信を行う際には、アンテナ５を支持部６を支点として最適送受信状態となる位置まで回動して通信を行い、外部の携帯電話またはＰＨＳを介してデータ通信を行う際には、通信用コネクタ４に携帯電話またはＰＨＳと接続するための通信用ケーブルを接続して通信を行う。
【０００６】
このカード型デバイス１は、通常携帯型情報処理装置の外部拡張スロットに挿入された状態で屋外に携帯する機会が多いため、使用しないときにはアンテナ５は携帯の邪魔にならないように収納位置に回動され、また携帯電話あるいはＰＨＳをつなぐ通信用ケーブルを接続するデータ通信用コネクタ４には、埃などが付着するのを防止するため、及び保護を目的として通信用コネクタ４と嵌合するカバー７を被せたりあるいは可撓性を有する接着テープ８で覆っている。
【０００７】
【発明が解決しようとする課題】
携帯型情報処理装置に携帯電話あるいはＰＨＳを接続してデータ通信を行う際には、外部拡張スロットに挿入されたカード型デバイス１のデータ通信用コネクタ４を覆っているカバー７あるいは接着テープ８を取り外して、該データ通信用コネクタ４に携帯電話あるいはＰＨＳをつなぐ通信用ケーブルを接続する必要があるが、この通信用コネクタのカバー７あるいは接着テープ８の着脱は面倒であり、また、取り外した後のカバー７あるいは接着テープ８の管理も煩雑であって紛失の恐れもある。また、これらの部品を付加することによりコストアップの要因にもなっていた。
【０００８】
本発明は、上記問題点に鑑み、携帯型情報処理装置の外部拡張スロットに挿入されて使用されるカード型デバイスのデータ通信用コネクタの露出面を覆うための専用のカバーあるいは接着テープを不要とし、かつカード型デバイスの不使用時に該データ通信用コネクタに埃などが付着するのを防止するとともにコネクタ部を保護する手段を提供することにある。
【０００９】
【課題を解決するための手段】
本発明は、回動式アンテナとデータ通信用コネクタを備えた携帯型情報処理装置において、前記回動式アンテナ本体に、前記通信用コネクタ部の露出面を覆うカバーとしての機能を持たせたことを特徴としている。
【００１０】
本発明の回動式アンテナは、アンテナが使用されておらず収納位置に回動されている状態のときに、携帯型情報処理装置に設けられたデータ通信用コネクタ部の露出面を覆う位置に配置されており、またアンテナの形状もデータ通信用コネクタ部の露出面を覆うことができるように、例えば長手方向に扁平な形状に構成されている。
【００１１】
また、回動式アンテナとデータ通信用コネクタを備え携帯型情報処理装置の外部拡張スロットに挿入されて該スロット内のカードコネクタと接続して使用される本発明のカード型デバイスは、前記回動式アンテナがアンテナ収納位置に回動された状態のときに、前記通信用コネクタ部の露出面を覆うカバーとしての機能を有していることを特徴とする。
【００１２】
本発明によれば、アンテナにデータ通信用コネクタの露出面を保護するカバーとしての機能を兼ねさせているので、データ通信用コネクタ保護用の専用のカバー、該カバーの着脱、取り外したカバーの管理等が不要となり、また、コストの削減にも寄与する。
【００１３】
【発明の実施の形態】
図１は、本発明をＰＣカード等のカード型デバイスに適用した第１の実施形態を示す斜視図であり、（ａ）はアンテナを立ち上げた状態、（ｂ）はアンテナを収納した状態を示している。
【００１４】
カード型デバイス１は、携帯型パソコン等の情報処理装置の外部拡張スロットに挿入されるスロット挿入部２と、外部拡張スロット内のカードコネクタと接続されるインタフェースコネクタ３と、通信用コネクタ４と、直接ワイヤレスデータ通信を行うための回動式アンテナ５と、該アンテナをその収納位置と使用位置との間で回動可能にするための支点となる支持部６とを備えている。
【００１５】
通信用コネクタ４には、携帯電話またはＰＨＳを介してデータ通信を行う際に、外部の携帯電話またはＰＨＳと接続するための通信用ケーブル１０に設けられたケーブルコネクタ９が接続される。回動式アンテナ５は、データ通信用コネクタ４が設けられている近傍に配置され、この回動式アンテナ５を収納位置に回転させるとデータ通信用コネクタ４がアンテナ５により覆われる位置関係となっている。
【００１６】
本実施形態では、アンテナ５は、カード型デバイス１の通信用コネクタ４が設けられた面に支持部６により取り付けられており、支持部６を支点としてアンテナ５をその収納位置に回動したときに、アンテナ５と通信用コネクタ４が設けられた面とが密着して通信用コネクタ４の露出面を覆うように、例えばその平面が扁平状に構成されているが、アンテナ５の通信用コネクタ４の露出面を覆う位置に通信用コネクタ４と嵌合する嵌合部を一体に形成することにより、アンテナ収納位置におけるアンテナの固定機能をも兼ねさせる構成とすることもできる。
【００１７】
携帯電話・ＰＨＳを接続してデータ通信を行う際には、図１（ａ）に示すように、回動式アンテナ５を回動させて立ち上げることで通信用コネクタ４を露出し、露出したコネクタに通信用ケーブル１０のケーブルコネクタ９を接続することにより、ケーブル経由で携帯電話・ＰＨＳを接続して通信を行う。通信が終わったらケーブルコネクタ９を外し、図１（ｂ）に示すようにアンテナ５を収納位置に回動する。これにより通信用コネクタ４が覆われ保護される。
【００１８】
また、アンテナ５を用いて携帯型情報処理装置によりワイヤレスデータ通信を行う際には、図１（ａ）に示すように、アンテナ５を支持部６を支点として最適送受信状態となる位置まで回動して通信を行うため、通信用コネクタ４は露出状態となっているが、携帯型情報処理装置が使用されているときの埃等の影響は比較的少ないので通信用コネクタ４が露出されていてもそれほど問題とはならない。
【００１９】
図２は、本発明の第２の実施形態を示す斜視図である。本実施形態は、その基本的構成は第１の実施形態と同様であるが、アンテナ５を互いに直交する２つの回動軸を支点として回動可能に支持し、アンテナ５を２つの異なる位置に収納可能にしたことを特徴としている。
【００２０】
図２において、回動式アンテナ５の一端には、カード型デバイス１の側面に配置され該側面と直交する第１の回動軸を有する第１の支持部１１と、第１の支持部１１によって支持されかつ第１の回動軸と直交する第２の回動軸を有する第２の支持部１２が設けられており、回動式アンテナ５をカード型デバイスの前面位置または前面に隣接する表面収納位置の２つの位置に収納可能に構成されている。また、通信用コネクタ４はカード型デバイス１の前面に設けられている。
【００２１】
以下、図２により、本実施形態におけるアンテナ収納位置の切り替え動作について説明する。携帯型情報処理装置によるデータ通信を行っていない場合には、図２（ａ）に示すように、アンテナ５は支持部１１，１２によりカード型デバイス１の前面収納位置に回動され、カード型デバイス１の前面に設けられた通信用コネクタ４を覆っている。
【００２２】
携帯電話・ＰＨＳを接続してデータ通信を行う際には、まず図２（ｂ）に示すように、支持部１２を支点として回動式アンテナ５を回動して通信用コネクタ４を露出し、次に、図２（ｃ）に示すように、支持部１１を支点として回動式アンテナ５を立ち上げ、さらに図２（ｄ）に示すように、支持部１２を支点として回動式アンテナ５をカード型デバイス１の前面収納位置に隣接する表面収納位置に回動する。そして、露出した通信用コネクタ４に通信用ケーブルのケーブルコネクタを接続することにより、ケーブル経由で携帯電話・ＰＨＳを接続して通信を行う。
【００２３】
アンテナ５を用いて携帯型情報処理装置によりワイヤレスデータ通信を行う際には、図２（ｃ）に示すように、アンテナ５を立ち上げた状態で通信を行う。これにより、通信用コネクタ４を使用しているときにはアンテナを立ち上げた状態としないで、別な位置に収納することが出来る。
【００２４】
本実施形態によれば、通信用コネクタ４を使用して外部の携帯電話またはＰＨＳ経由で通信を行っているときに、第１の実施形態のように使用していないアンテナ５を立てるという、利用者から見たら不合理に感じる行為を回避する効果がある。
【００２５】
図３は、本発明の第３の実施形態を示す斜視図である。本実施形態は、その基本的構成は第２の実施形態と同様であるが、アンテナ５に、通信用コネクタ４と嵌合する嵌合部１３を一体に設けたことを特徴としている。
【００２６】
通信用コネクタ４はカード型デバイス１の前面に設けられており、アンテナ５が支持部１１，１２によりカード型デバイス１の前面収納位置に回動されたとき、アンテナ５を通信用コネクタ４側へ押し込むことにより嵌合部１３が通信用コネクタ４と嵌合する。その結果、通信用コネクタ４の露出部が覆われるとともに、アンテナ５がカード型デバイス１の前面収納位置に固定されるので、携帯時等にアンテナ５がその収納位置からずれることがない。
【００２７】
また図３において、通信用コネクタ４が使用されているときにアンテナ５を収納する表面収納位置にも嵌合部１３と嵌合する窪みを設けておいてもよい。
【００２８】
なお、上記実施例では、携帯型電子機器の外部拡張スロットに挿入され、該スロット内のカードコネクタと接続して使用されるカード型デバイスをその対象としているが、本発明はカード型デバイスに限定されるものではなく、携帯型電子機器自体にカード型デバイスの機能が実装されている場合には、携帯型電子機器自体に対して本発明を実施することも可能である。
【００２９】
【発明の効果】
本発明によれば、回動式アンテナがデータ通信用コネクタのカバーの役目を果たすので、従来必要であったコネクタカバーが不要となり、コスト削減ができるとともに、コネクタカバーの着脱操作、取り外したカバーの管理等が不要となる効果がある。
【図面の簡単な説明】
【図１】本発明の第１の実施形態を示す斜視図である。
【図２】本発明の第２の実施形態を示す斜視図である。
【図３】本発明の第３の実施形態を示す斜視図である。
【図４】従来例を示す斜視図である。
【図５】従来例を示す斜視図である。
【符号の説明】
１  カード型デバイス
２  スロット挿入部
３  インタフェースコネクタ
４  通信用コネクタ
５  アンテナ
６，１１，１２  支持部
７  カバー
８  接着テープ
９  ケーブルコネクタ
１０  通信用ケーブル
１３  嵌合部
【図１】
0003591589.tif 000002
【図２】
0003591589.tif 000003
【図３】
0003591589.tif 000004
【図４】
0003591589.tif 000005
【図５】
0003591589.tif 000006